【事件の表示】
　特願２０１６−４９４１２号「遊技機」拒絶査定不服審判事件〔平成２８年７月２１日出願公開、特開２０１６−１２９６８９号〕について、次のとおり審決する。
【結　論】
　本件審判の請求は、成り立たない。
【理　由】
第１　手続の経緯の概要
　本願は、平成２３年１０月２６日に出願された特願２０１１−２３５３１９号の一部を平成２８年３月１４日に新たな特許出願（特願２０１６−４９４１２号）としたものであって、平成２９年２月１３日付け拒絶理由通知に対して、同年４月１９日付けで意見書、及び、手続補正書が提出されたところ、同年６月２２日付けで拒絶査定がなされ（同年６月２７日発送）、これに対して、同年８月２２日に拒絶査定不服審判の請求がなされるとともに、その審判の請求と同時に手続補正書が提出されたものである。
　
第２　平成２９年８月２２日付けの手続補正についての補正却下の決定
　平成２９年８月２２日付けの手続補正（以下「本件補正」という。）を却下する。
　
［理由］
　１　補正の内容
　本件補正により、平成２９年４月１９日付け手続補正書の特許請求の範囲の請求項１における
「遊技機本体に着脱可能に取り付けられた遊技盤を備えた遊技機であって、
　前記遊技盤に取り付けられ、複数の駆動手段によって動作する装飾部材と、
　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
　前記抽選の結果に基づき、前記装飾部材を所定の動作パターンで動作するように前記駆動手段の駆動を制御する駆動制御手段とを有し、
　前記動作パターンは、前記装飾部材を水平状態で昇降させるパターンを含み、動作態様の異なる複数の動作パターンを有するものであり、
　前記動作パターンの演出位置での前記装飾部材の背面側には表示部が配置され、
　前記装飾部材の動作パターンに加え、前記表示部の画像による演出として、前記装飾部材にオーバーラップさせて前記装飾部材の動作を誇張する補助的な表示画像を表示すると共に、
　前記装飾部材の動作パターンに電飾制御動作パターンを組み合わせることを特徴とする
遊技機。」は、
　
　審判請求時に提出された手続補正書（平成２９年８月２２日付け）における
「遊技機本体に着脱可能に取り付けられた遊技盤を備えた遊技機であって、
　前記遊技盤に取り付けられ、複数の駆動手段によって動作する装飾部材と、
　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
　前記抽選の結果に基づき、前記装飾部材を所定の動作パターンで動作するように前記駆動手段の駆動を制御する駆動制御手段とを有し、
　前記動作パターンは、前記装飾部材を水平状態で昇降させるパターンを含み、動作態様の異なる複数の動作パターンを有
し、複数の動作パターンの中から前記抽選の結果の当選の期待度に応じた動作パターンが選択され、当該抽選の結果の報知に連動して動作指示がなされる
　前記動作パターンの演出位置での前記装飾部材の背面側には表示部が配置され、
　前記装飾部材の動作パターンに加え、前記表示部の画像による演出として、前記装飾部材にオーバーラップさせて前記装飾部材の動作を誇張する補助的な表示画像を表示すると共に、
　前記装飾部材の動作パターンに
装飾部材自体に取り付けられた電飾を点灯させる
せ、
　
前記駆動制御手段により前記抽選の結果に応じて選択された動作パターンを実行することで、前記抽選の結果の当選の期待度を報知する
　
　２　補正の適否
　本件補正は、補正前の請求項１に記載した発明を特定するために必要な事項である「動作パターン」について、「
複数の動作パターンの中から前記抽選の結果の当選の期待度に応じた動作パターンが選択され、当該抽選の結果の報知に連動して動作指示がなされる
前記駆動制御手段により前記抽選の結果に応じて選択された動作パターンを実行することで、前記抽選の結果の当選の期待度を報知する
　さらに、補正前の請求項１に「前記装飾部材の動作パターンに電飾制御動作パターンを組み合わせる」とあったものを、「前記装飾部材の動作パターンに
装飾部材自体に取り付けられた電飾を点灯させる
せ、
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書、特許請求の範囲又は図面の段落【０６８２】〜【０６８４】、【図１０５】、及び、【図１０６】等の記載からみて、新規事項を追加するものではない。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｉは、分説するため当審で付した。）。
「Ａ　遊技機本体に着脱可能に取り付けられた遊技盤を備えた遊技機であって、
Ｂ　前記遊技盤に取り付けられ、複数の駆動手段によって動作する装飾部材と、
Ｃ　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
Ｄ　前記抽選の結果に基づき、前記装飾部材を所定の動作パターンで動作するように前記駆動手段の駆動を制御する駆動制御手段とを有し、
Ｅ　前記動作パターンは、前記装飾部材を水平状態で昇降させるパターンを含み、動作態様の異なる複数の動作パターンを有
し、複数の動作パターンの中から前記抽選の結果の当選の期待度に応じた動作パターンが選択され、当該抽選の結果の報知に連動して動作指示がなされる
Ｆ　前記動作パターンの演出位置での前記装飾部材の背面側には表示部が配置され、
Ｇ　前記装飾部材の動作パターンに加え、前記表示部の画像による演出として、前記装飾部材にオーバーラップさせて前記装飾部材の動作を誇張する補助的な表示画像を表示すると共に、
Ｈ　前記装飾部材の動作パターンに
装飾部材自体に取り付けられた電飾を点灯させる
せ、
Ｉ　
前記駆動制御手段により前記抽選の結果に応じて選択された動作パターンを実行することで、前記抽選の結果の当選の期待度を報知する
　
　（２）刊行物に記載された事項
　当審において新たに提示された、本願の出願前に頒布された刊行物である特開２０１０−１１０４１５号公報（以下「刊行物」という。）には、図面と共に次の事項が記載されている（下線部は当審で付した。以下同様。）。
　
　・記載事項
　　　ア　「【請求項１】
可動演出体（２４，２６）と、該可動演出体（２４，２６）を支持部（２５）を介して支持する支持枠（１９，２６）と、前記
可動演出体（２４，２６）を駆動する駆動手段（４５，８７
）
を備えた遊技機
　
　　　イ　「【００１２】
　以下、本発明の実施形態を図面に基づいて詳述する。図１〜図１１は本発明を
パチンコ機
遊技機本体１は、
前枠４
を備えている。
【００１３】
　前面板６の前側には発射用の遊技球を貯留する球供給皿７と、余剰球を受ける受け皿８とが上下に配置され、その受け皿８の側方に遊技球を発射する発射手段（図示省略）の発射ハンドル９が設けられている。ガラス扉５の裏側には、このガラス扉５に対応するように
前枠４に遊技盤１０が着脱自在に装着されている。
【００１４】
　
遊技盤１０の前面に
特別図柄始動手段１５、大入賞手段１６
が配置されている。
【００１５】
　画像表示手段１３は遊技領域１２の略中央に配置されており、図２、図３に示すように
遊技盤１０
に装着された保持枠１９
遊技盤１０
に装着され
前飾り体２１
【００１６】
　
保持枠１９と前飾り体２１との間には、
第１可動演出体２４と、
第１可動演出体２４を支持する第２可動演出体２６と
が設けられている。可動演出体２４，２６は
画像表示部２０の上側の退避位置Ｘと、画像表示部２０の上下中間の前側の演出位置Ｙとの間で昇降自在である。
　
　　　ウ　「【００２１】
　特別図柄始動手段１５は固定式入賞口２９と電動チューリップ等の可変式入賞口３０とを上下に備えている。可変式入賞口３０は普通図柄表示手段２２の変動後の普通図柄が当たり態様を停止表示したときに所定時間開放するようになっている。
・・・
【００２４】
第１可動演出体２４は飛行機の正面形状を模した
　
　　　エ　「【００４２】
　図１０はパチンコ機の制御系を示す。パチンコ機の制御系は主制御基板９６と演出制御基板９７とを備えている。
主制御基板９６はパチンコ機全体の遊技動作の制御を司る
乱数抽選手段９９、判定手段１００、
特別遊技発生手段１０５を備えている。
【００４３】
　
乱数抽選手段９９は特別図柄始動手段１５が遊技球を検出したときに乱数値を抽選し、判定手段１００は乱数抽選手段９９で抽選された乱数値を大当たり乱数値と照合して大当たりか否かを判定する
【００４４】
　停止態様決定手段１０２は判定手段１００の判定結果が大当たりのときに演出図柄２０ａ〜２０ｃの停止態様を抽選し決定するためのものである。
変動パターン決定手段１０３は判定手段１００の判定結果が大当たりのとき
大当たり変動パターンを、
外れ変動パターンを
決定するためのものであり、
・・・
【００４８】
　
特別遊技発生手段１０５は
大当たりと判定した場合に、
大当たり遊技
を発生させる
大入賞手段１６を所定時間ずつ複数回開放させる
　
　　　オ　「【００５１】
　予告演出決定手段１０９は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。
・・・
【００５３】
　可動演出制御手段１１１は駆動手段４５、８７の制御により可動演出体２４，２６の可動演出を制御するためのもので、例えば
予告演出決定手段１０９が予告演出を決定して演出図柄２０ａ〜２０ｃがリーチになった後に、所定の予告演出パターンに従って各駆動手段４５，８７を正転、逆転制御する
【００５４】
　
予告演出には１種類、又は予告演出パターン１、予告演出パターン２、・・・等の複数種類の予告演出パターンがある。
【００５５】
　これらの
各演出パターンは、
昇降動作、
傾斜動作、
揺動動作とを組み合わせて構成されている。可動演出制御手段１１１は複数の予告演出パターンがある場合には、その何れか１を抽選してそれに従って各駆動手段４５，８７を制御する。
　
　　　カ　「【００６１】
　判定手段１００の大当たりの判定により変動パターン決定手段１０３が
大当たり変動パターンの何れかを選択した場合、又は大当たり変動パターンの変動時間に近い特定のリーチあり外れ変動パターンの何れかを選択した場合に
予告演出決定手段１０９が予告演出を行うか否かを決定する。
【００６２】
　そして、予告演出決定手段１０９が
予告演出を決定すれば、
【００６３】
　即ち、可動演出体２４，２６は通常は図１１（Ａ）に示すように退避位置Ｘにある。そして、３個の演出図柄２０ａ〜２０ｃが所定の変動パターンで変動する間に、図１１（Ｂ）に示すように１個の演出図柄２０ｂを除く他の演出図柄２０ａ，２０ｃが揃う
リーチになれば、可動演出制御手段１１１が何れかの予告演出パターンに従って各駆動手段４５，８７を制御して可動演出を行う。
【００６４】
　例えば、
左右の昇降支持手段２７の各昇降駆動手段８７
揺動駆動手段４５
・・・
【００６７】
　この
可動演出体２４，２６による可動演出に同期して、
発光演出制御手段１１２の制御により第１可動演出体２４の発光部４３
が発光し、また演出画像制御手段１１０の制御により画像表示部２０が稲妻等の所定の予告演出画像２８を表示する。
各可動演出体２４，２６による可動演出と、発光部４３等による発光演出と、予告演出画像２８による画像演出とが一体となって一つの纏まりのある予告演出を行うため、可動演出体２４，２６による演出効果が著しく向上する。
　
　　　キ　「【００７５】
　
可動演出時には
【００７６】
　例えば、各昇降支持手段２７の昇降駆動手段８７が同一の正転方向に起動すると、各巻き掛け体９０が逆方向に回動して昇降体８５が案内棒８４に沿って退避位置Ｘから演出位置Ｙへと移動し、
可動演出体２４，２６を略水平に保ちながら下降させることができる。
　
　・認定事項
　　　ク　【００４３】に「・・・判定手段１００は乱数抽選手段９９で抽選された乱数値を大当たり乱数値と照合して大当たりか否かを判定する・・・判定手段１００の判定結果・・・」と記載され、【００５１】に「予告演出決定手段１０９は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。」と記載されていることから、刊行物には、「判定手段１００の判定結果に基づいて、予告演出を行うか否かを決定すること」が記載されている。
　また、【００５５】に「・・・可動演出制御手段１１１は複数の予告演出パターンがある場合には、その何れか１を抽選してそれに従って各駆動手段４５，８７を制御する。」と記載されている。
　したがって、刊行物には、「可動演出制御手段１１１は、判定手段１００の判定結果に基づいて、複数の予告演出パターンの何れか１を抽選し、それに従って各駆動手段４５，８７を制御すること」が記載されているものと認められる。
　
　上記ア〜キの記載事項、上記クの認定事項、及び、図面の図示内容を総合勘案すると、刊行物には、次の発明（以下「刊行物発明」という。）が記載されていると認められる（ａ〜ｉは、本件補正発明のＡ〜Ｉに対応させて付与した。）。
「ａ　遊技機本体１の前枠４に着脱自在に装着されている遊技盤１０を備えているパチンコ機において（【００１２】〜【００１３】）、
　
ｂ　遊技盤１０に装着された保持枠１９と前飾り体２１との間に設けられている、飛行機の正面形状を模した第１可動演出体２４と、第１可動演出体２４を支持する第２可動演出体２６（【００１５】〜【００１６】、【００２４】、【００６４】）と、
　可動演出体（２４，２６）を駆動する駆動手段（揺動駆動手段４５，左右の昇降支持手段２７の各昇降駆動手段８７）（【請求項１】、【００６４】）と、
　
ｃ　遊技盤１０の前面に配置されている特別図柄始動手段１５が遊技球を検出したときに乱数値を抽選し、判定手段１００により大当たりと判定された場合に、遊技盤１０の前面に配置されている大入賞手段１６を所定時間ずつ複数回開放させる大当たり遊技を発生させる、パチンコ機全体の遊技動作の制御を司る主制御基板９６（【００１４】、【００４２】〜【００４４】、【００４８】）と、
　
ｄ　判定手段１００の判定結果に基づいて、変動パターン決定手段１０３により、大当たり変動パターンの何れかが決定された場合、又は大当たり変動パターンの変動時間に近い特定のリーチあり外れ変動パターンの何れかが決定された場合に、予告演出を行うことが決定されると、
　演出図柄２０ａ〜２０ｃがリーチになった後に、何れかの予告演出パターンに従って各駆動手段４５，８７を正転・逆転制御して可動演出を行う可動演出制御手段１１１（【００４４】、【００５３】、【００６１】〜【００６３】）とを有し、
　
ｅ、ｉ　各予告演出パターンは、可動演出体２４，２６の昇降動作、傾斜動作、揺動動作を組み合わせて構成される複数種類の予告演出パターン１〜３からなり（【００５４】〜【００５５】）、
　可動演出時には、可動演出体２４，２６を略水平に保ちながら下降させることができ（【００７５】〜【００７６】）、
　可動演出制御手段１１１は、判定手段１００の判定結果に基づいて、複数の予告演出パターンの何れか１を抽選し、それに従って各駆動手段４５，８７を制御し（認定事項ク）、
　
ｆ　可動演出体２４，２６は、画像表示部２０の上側の退避位置Ｘと、画像表示部２０の上下中間の前側の演出位置Ｙとの間で昇降自在であり（【００１６】）、
　
ｇ、ｈ　可動演出体２４，２６による可動演出に同期して、演出画像制御手段１１０の制御により画像表示部２０が稲妻等の所定の予告演出画像２８を表示し、また、発光演出制御手段１１２の制御により第１可動演出体２４の発光部４３が発光し、
　各可動演出体２４，２６による可動演出と、発光部４３等による発光演出と、予告演出画像２８による画像演出とが一体となって一つの纏まりのある予告演出を行うため、可動演出体２４，２６による演出効果が著しく向上する（【００６７】）
　パチンコ機。」
　
　（３）対比
　本件補正発明と刊行物発明とを対比する（対比にあたっては、本件補正発明の構成Ａ〜Ｉと刊行物発明の構成ａ〜ｉについて、それぞれ（ａ）〜（ｉ）の見出しを付して行った。）。
　　（ａ）刊行物発明における「遊技機本体１」、「遊技盤１０」は、それぞれ、本件補正発明における「遊技機本体」、「遊技盤」に相当する。
　したがって、刊行物発明における「遊技機本体１の前枠４に着脱自在に装着されている遊技盤１０」は、本件補正発明における「遊技機本体に着脱可能に取り付けられた遊技盤」に相当する。
　また、刊行物発明における「パチンコ機」は、本件補正発明における「遊技機」に相当する。
　ゆえに、刊行物発明における構成ａは、本件補正発明における構成Ａに相当する。
　
　　（ｂ）刊行物発明における「遊技盤１０に装着された保持枠１９と前飾り体２１との間に設けられている」ことは、本件補正発明における「遊技盤に取り付けられ」ることに相当する。
　そして、刊行物発明における「駆動手段（揺動駆動手段４５，左右の昇降支持手段２７の各昇降駆動手段８７）」は、本件補正発明における「複数の駆動手段」に相当する。
　また、刊行物発明における「駆動手段」によって「駆動する」ことは、本件補正発明における「駆動手段によって動作する」ことに相当する。
　さらに、刊行物発明における「飛行機の正面形状を模した第１可動演出体２４」及び「第２可動演出体２６」は、本件補正発明における「装飾部材」に相当する。
　したがって、刊行物発明における構成ｂの「飛行機の正面形状を模した第１可動演出体２４」及び「第２可動演出体２６」は、本件補正発明における構成Ｂの「遊技盤に取り付けられ、複数の駆動手段によって動作する装飾部材」に相当する。
　
　　（ｃ）刊行物発明における
　「遊技盤１０の前面に配置されている特別図柄始動手段１５」、
　「遊技球を検出したとき」、
　「乱数値を抽選し、判定手段により大当たりと判定された場合」、
　「遊技盤１０の前面に配置されている大入賞手段１６」、
　「所定時間ずつ複数回開放させる大当たり遊技を発生させる」こと
　「パチンコ機全体の遊技動作の制御を司る主制御基板９６」は、それぞれ、本件補正発明における
　「遊技盤面に設けられた始動入賞口」、
　「遊技球が入賞すること」、
　「抽選を実行すると共に、抽選が当選のとき」、
　「遊技盤面上に設けられた大入賞口」、
　「所定期間開放することにより遊技球の入賞を可能とする特別遊技の進行を制御する」こと、
　「遊技進行制御手段」に相当する。
　したがって、刊行物発明における構成ｃの「パチンコ機全体の遊技動作の制御を司る主制御基板９６」は、本件補正発明における構成Ｃの「遊技盤面に設けられた始動入賞口に遊技球が入賞することで抽選を実行すると共に、抽選が当選のとき、遊技盤面上に設けられた大入賞口を、所定期間開放することにより遊技球の入賞を可能とする特別遊技の進行を制御する遊技進行制御手段」としての機能を有する。
　
　　（ｄ）上記（ｃ）より、「判定手段１００」は、「乱数値を抽選」することにより判定を行うものであるから、刊行物発明における「判定手段１００の判定結果に基づ」くことは、本件補正発明における「抽選の結果に基づ」くことに相当する。
　そして、刊行物発明における「予告演出パターン」は、構成ｅ、ｉより、「可動演出体２４，２６を昇降動作、傾斜動作」させるものであるから、本件補正発明における「所定の動作パターン」に相当する。
　また、刊行物発明における「可動演出を行う」ために「各駆動手段４５，８７を正転・逆転制御」することは、本件補正発明における「駆動手段の駆動を制御する」ことに相当する。
　したがって、刊行物発明における「可動演出制御手段１１１」は、本件補正発明における「駆動制御手段」に相当する。
　
　　（ｅ、ｉ）上記（ｄ）より、刊行物発明における「予告演出パターン」は、本件補正発明における「所定の動作パターン」に相当することから、刊行物発明における「可動演出体２４，２６の昇降動作、傾斜動作、揺動動作を組み合わせて構成される複数種類の予告演出パターン１〜３」は、本件補正発明における「動作態様の異なる複数の動作パターン」に相当する。
　
　そして、刊行物発明における「可動演出」は、構成ｄより、「予告演出パターンに従って」行われることから、刊行物発明における「可動演出時には、可動演出体２４，２６を略水平に保ちながら下降させることができ」ることは、「予告演出パターン」に「可動演出体２４，２６を略水平に保ちながら下降させる」パターンを含むことを意味する。
　したがって、刊行物発明における「可動演出時には、可動演出体２４，２６を略水平に保ちながら下降させることができ」ることは、本件補正発明における「動作パターンは、装飾部材を水平状態で昇降させるパターンを含」むことに相当する。
　
　また、刊行物発明における「判定手段１００の判定結果に基づいて、複数の予告演出パターンの何れか１を抽選」することと、本件補正発明における「複数の動作パターンの中から抽選の結果の当選の期待度に応じた動作パターンが選択され」ることとは、「複数の動作パターンの中から抽選結果に基づいて動作パターンが選択され」ることで共通する。
　
　さらに、刊行物発明における「それ（予告演出パターンの何れか１）に従って各駆動手段４５，８７を制御」することについて検討する。
　刊行物発明において、構成ｄより、「可動演出」が行われるのは、「演出図柄２０ａ〜２０ｃがリーチになった後」のタイミングである。
　そして、「リーチ」が、変動表示中に行われる演出であり、リーチ後に導出表示される演出図柄の組合せにより抽選の結果を報知することは、当業者における技術常識である。
　そうすると、刊行物発明における「それ（予告演出パターンの何れか１）に従って各駆動手段４５，８７を制御」ことは、本件補正発明における「当該抽選の結果の報知に連動して動作指示がなされる」ことに相当する。
　
　ゆえに、刊行物発明における構成ｅと本件補正発明における構成Ｅとは、「動作パターンは、装飾部材を水平状態で昇降させるパターンを含み、動作態様の異なる複数の動作パターンを有し、複数の動作パターンの中から抽選の結果に基づいて動作パターンが選択され、当該抽選の結果の報知に連動して動作指示がなされるものであ」ることで共通する。
　
　同様に、刊行物発明における構成ｉと、本件補正発明における構成Ｉの「駆動制御手段により抽選の結果に応じて選択された動作パターンを実行することで、抽選の結果の当選の期待度を報知する」こととは、「駆動制御手段により抽選の結果に基づいて選択された動作パターンを実行することで、抽選の結果を報知する」ことで共通する。
　
　　（ｆ）刊行物発明における「演出位置Ｙ」は、本件補正発明における「動作パターンの演出位置」に相当する。
　さらに、刊行物発明は、「演出位置Ｙ」において、「可動演出体２４，２６は」「画像表示部２０の上下中間の前側」にあることから、本件補正発明における「装飾部材の背面側には表示部が配置され」ることに相当する。
　したがって、刊行物発明における構成ｆは、本件補正発明における構成Ｆに相当する。
　
　　（ｇ）刊行物発明における「可動演出体２４，２６による可動演出に同期して」は、本件補正発明における「装飾部材の動作パターンに加え」ることに相当する。
　
　そして、刊行物発明における「稲妻等の所定の予告演出画像２８」は、「各可動演出体２４，２６による可動演出と、発光部４３等による発光演出と、予告演出画像２８による画像演出とが一体となって一つの纏まりのある予告演出を行うため、可動演出体２４，２６による演出効果が著しく向上する」ことから、「各可動演出体２４，２６による可動演出」の動作を強調し、補助する画像であるといえる。
　したがって、刊行物発明における「稲妻等の所定の予告演出画像２８」は、本件補正発明における「装飾部材の動作を誇張する補助的な表示画像」に相当する。
　そうすると、刊行物発明における「演出画像制御手段１１０の制御により画像表示部２０が稲妻等の所定の予告演出画像２８を表示」することと、本件補正発明における「表示部の画像による演出として、装飾部材にオーバーラップさせて装飾部材の動作を誇張する補助的な表示画像を表示する」こととは、「表示部の画像による演出として、装飾部材の動作を誇張する補助的な表示画像を表示する」ことで共通する。
　
　ゆえに、刊行物発明における構成ｇと、本件補正発明における構成Ｇとは、「装飾部材の動作パターンに加え、表示部の画像による演出として、装飾部材の動作を誇張する補助的な表示画像を表示する」ことで共通する。
　
　　（ｈ）刊行物発明における「第１可動演出体２４の発光部４３」、「発光」することは、それぞれ、本件補正発明における「装飾部材自体に取り付けられた電飾」、「点灯させる」ことに相当する。
　したがって、刊行物発明における構成ｇ、ｈの「可動演出体２４，２６による可動演出に同期して」「発光演出制御手段１１２の制御により第１可動演出体２４の発光部４３が発光」することは、本件補正発明における構成Ｈの「装飾部材の動作パターンに装飾部材自体に取り付けられた電飾を点灯させる電飾制御動作パターンを組み合わせ」ることに相当する。
　
　よって、両者の一致点および相違点は、次のとおりである。
［一致点］
「Ａ　遊技機本体に着脱可能に取り付けられた遊技盤を備えた遊技機であって、
Ｂ　前記遊技盤に取り付けられ、複数の駆動手段によって動作する装飾部材と、
Ｃ　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
Ｄ　前記抽選の結果に基づき、前記装飾部材を所定の動作パターンで動作するように前記駆動手段の駆動を制御する駆動制御手段とを有し、
Ｅ’前記動作パターンは、前記装飾部材を水平状態で昇降させるパターンを含み、動作態様の異なる複数の動作パターンを有し、複数の動作パターンの中から前記抽選の結果に基づいて動作パターンが選択され、当該抽選の結果の報知に連動して動作指示がなされるものであり、
Ｆ　前記動作パターンの演出位置での前記装飾部材の背面側には表示部が配置され、
Ｇ’　前記装飾部材の動作パターンに加え、前記表示部の画像による演出として、前記装飾部材の動作を誇張する補助的な表示画像を表示すると共に、
Ｈ　前記装飾部材の動作パターンに装飾部材自体に取り付けられた電飾を点灯させる電飾制御動作パターンを組み合わせ、
Ｉ’前記駆動制御手段により前記抽選の結果に基づいて選択された動作パターンを実行することで、前記抽選の結果を報知する
遊技機。」
　
［相違点１］（構成Ｅ、Ｉ）
　抽選の結果に基づいて選択された動作パターンに関して、本件補正発明は、複数の動作パターンの中から抽選の結果の当選の期待度に応じた動作パターンが選択され、動作パターンを実行することで、抽選の結果の当選の期待度を報知するのに対して、刊行物発明は、そのような構成を備えない点。
　
［相違点２］（構成Ｇ）
　装飾部材の動作を誇張する補助的な表示画像に関して、本件補正発明は、装飾部材にオーバーラップさせるのに対して、刊行物発明は、そのような構成を備えているか明らかでない点。
　
　（４）当審の判断
　　　ア　相違点１（構成Ｅ、Ｉ）について
　上記相違点１について検討する。
　遊技機の技術分野において、抽選の結果の当選の期待度に応じた装飾部材の動作パターンを選択し、選択された動作パターンを実行することで、抽選の結果の当選の期待度を報知することは、本願の遡及日前に周知の技術事項である（例えば、特開２０１１−１７２６４５号公報の【０００１】、【００６９】〜【００７３】、【０１７２】、【図１５】には、センター飾り（役物）２２の動作として、第１動作パターンと、第１動作パターンに比べて大当たりの信頼度の低い第２動作パターンとを選択的に実行することにより興趣を向上させる遊技機について記載され、特開２００５−３７５号公報の【０００１】、【０００６】〜【０００７】、【００４２】〜【００４３】には、ゲームに意外性が付与されるように信頼度の報知を行うことを目的として、第１演出役物２２及び第２演出役物２３による信頼度の報知を行う場合に、いずれの可動パターンで第１演出役物２２及び第２演出役物２３を可動させるかを決定する遊技機について記載されている。以下「周知の技術事項１」という。）。
　
　そして、刊行物発明と上記周知の技術事項１とは、複数の動作パターンの中から抽選の結果に応じて動作パターンが選択され、動作パターンを実行することで、抽選の結果を報知する遊技機である点で共通する。
　また、遊技機の技術分野において、動作可能な装飾部材を備えることで、遊技者に遊技の興趣を向上させる効果を奏することは、当業者にとって自明である。
　したがって、刊行物発明の動作パターンにに上記周知の技術事項１を適用して、複数の動作パターンの中から動作パターンを選択するに際して、抽選の結果の当選の期待度に応じて動作パターンを選択し、選択された動作パターンを実行することで、抽選の結果の当選の期待度を報知し、上記相違点に係る本件補正発明の構成Ｅ、Ｉとすることは当業者が容易になし得たものである。
　
　　　イ　相違点２（構成Ｇ）について
　上記相違点２について検討する。
　刊行物発明は、「稲妻等の所定の予告演出画像２８」が「可動演出体２４，２６による可動演出に同期して」、「画像表示部２０」に表示されるものである。
　刊行物発明における「稲妻等の所定の予告演出画像２８」は、「各可動演出体２４，２６による可動演出と、発光部４３等による発光演出と、予告演出画像２８による画像演出とが一体となって一つの纏まりのある予告演出を行うため、可動演出体２４，２６による演出効果が著しく向上する」ものであることから、「各可動演出体２４，２６による可動演出」の動作を強調し、補助する画像であるといえる。
　また、刊行物発明において、「各可動演出体２４，２６」は、動作可能であり、さらに、構成ｆより、「演出位置Ｙ」において「可動演出体２４，２６」が「画像表示部２０」の「前側」にあるものである。
　一方、本件補正発明において、「オーバーラップ」は、「輪郭画像」（【０１３１】を参照。）なので、必ずしも、「表示部の画像」と「装飾部材」が完全に重なることを意味するものではなく、「装飾部材」と「表示部の画像」が、部分的に重なることを含むものである。
　そして、本件補正発明において、装飾部材の背面に位置する「表示部の画像」（実施例に記載された「輪郭画像」）は、遊技者から視認困難であるため、その画像表示内容に格別の意義を有するものではない。
　これらのことからみて、刊行物発明において、「稲妻等の所定の予告演出画像２８」を「可動演出体２４，２６による可動演出に同期して」、「可動演出体２４，２６」の背面部分にも表示し、「可動演出体２４，２６」にオーバーラップするように表示することは、当業者が必要に応じてなし得たものである。
　
　次に、相違点２について、さらに、別の観点から検討する。
　遊技機の技術分野において、装飾部材の動作パターンに加え、表示部の画像による演出として、装飾部材にオーバーラップさせて装飾部材の動作を誇張する補助的な表示画像を表示することは、本願の遡及日前に周知の技術事項である（例えば、原査定の拒絶理由において提示された特開２００４−１６００５３号公報の【０００１】、【００１１】、【００２０】、【図３】には、画面にクモの巣が出現するときにクモ可動部材を素早い早さで画面の前面に降下させて遊戯者を驚かせ、遊技者の興趣を増大させるパチンコ機について記載され、特開２０１１−１１５３９２号公報の【０００１】、【０１９８】、【０２２４】、【図２３】には、可動体７０１を退避位置から前面位置に移動させる際に、前面位置に位置する可動体７０１に重畳する位置に、該可動体７０１を正面から見た場合の画像を表示する制御を行うと共に、可動体７０１の動きを多様化して、遊戯の興趣を高める遊技機について記載されている。以下「周知の技術事項２」という。）。
　そして、刊行物発明と上記周知の技術事項２とは、装飾部材の動作パターンに加え、表示部の画像による演出を行う遊技機である点で共通する。
　また、遊技機の技術分野において、装飾部材の動作パターンに加え、表示部の画像による演出を行うことで、遊技者に遊技の興趣を向上させる効果を奏することは、当業者にとって自明である。
　したがって、刊行物発明において、装飾部材の動作パターンに加え、表示部の画像による演出を行う際に、上記周知の技術事項２を適用して、装飾部材の動作を誇張する補助的な表示画像を装飾部材にオーバーラップさせ、上記相違点２に係る本件補正発明の構成Ｇとすることは当業者が容易になし得たものである。
　
　　　ウ　請求人の主張について
　請求人は、平成２９年８月２２日付け審判請求書において、「（本審判請求と同時に提出した手続補正書で補正した本願発明の請求項１と引用文献１との対比）
　引用文献１には、可動部材（クモ可動部材）は、クモの糸２１ａによって吊り下げられた構成であり、モータ２３を駆動して吊り下げたクモ可動部材を遊戯領域の画面の前で昇降させると共に、揺動手段２６で揺動することが記載されています。
　しかしながら、引用文献１では、クモ可動部材及びその駆動系は、遊技盤ではなく、遊技機本体（ガラス枠）に取り付けられた構造となっています。　これに対して、本願発明は、パチンコ機本体に着脱可能に取り付けられた遊技盤を備え、当該遊技盤に装飾部材及び駆動手段が設けられた構造となっています。
　すなわち、遊技盤は、それぞれテーマを備え、演出のためのキャラクタ等が設定されることは、当業者であれば周知の構成です。
　この場合、遊技盤という一体構成物の範囲内で、キャラクタ等（本願発明で言えば装飾部材）、及びその駆動系（本願発明で言えば駆動手段）を集約させることで、遊技機本体は、他のテーマの遊技盤であっても共通に利用可能となります。
　従って、本願発明は、引用文献１から容易に想到し得るものではありません。
　また、引用文献１は、遊技機本体（ガラス枠）にクモ可動部材が取り付けられており、クモ可動部材自体に電飾が備えられた構成ではありません。
　これに対して、本願発明は、電飾制御動作パターンが、装飾部材自体に取り付けられた電飾を点灯させるパターンを含んでおり、引用文献１から容易に想到し得るものではないことは明白です。」（第５頁下第３行〜第６頁第１８行）と主張する。
　
　そこで、請求人の上記主張について検討する。
　まず、本件補正発明の構成Ｂは、「装飾部材」が「遊技盤に取り付けられ」ることを特定するが、「複数の駆動手段」が「遊技盤に取り付けられ」ることまでを特定するものではない。
　次に、当審により新たに提示された上記刊行物（特開２０１０−１１０４１５号公報）から認定される刊行物発明は、第１可動演出体２４、第２可動演出体２６、及び、その駆動手段が、着脱自在に装着されている遊技盤１０に設けられたものである（構成ａ〜ｂ）。
　また、刊行物発明は、「第１可動演出体２４」に設けられた「発光部４３が発光」するものである（構成ｇ〜ｈ）。
　したがって、請求人の上記主張を採用することはできない。
　
　　　エ　小括
　本件補正発明により奏される効果は、刊行物発明、及び、上記周知の技術事項１〜２から当業者が予測できる効果の範囲内のものであり、新たな効果を奏するものとはいえない。
　そうすると、上記ア〜ウにおいて検討したとおり、本件補正発明は、刊行物発明、及び、上記周知の技術事項１〜２に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明は、平成２９年４月１９日付け手続補正書により補正された特許請求の範囲の請求項１に記載されたとおりのものであるところ、その請求項１に係る発明（以下「本願発明」という。記号Ａ〜Ｈ’は、分説するため当審で付した。）は、次のとおりのものと認める。
「Ａ　遊技機本体に着脱可能に取り付けられた遊技盤を備えた遊技機であって、
Ｂ　前記遊技盤に取り付けられ、複数の駆動手段によって動作する装飾部材と、
Ｃ　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
Ｄ　前記抽選の結果に基づき、前記装飾部材を所定の動作パターンで動作するように前記駆動手段の駆動を制御する駆動制御手段とを有し、
Ｅ’’前記動作パターンは、前記装飾部材を水平状態で昇降させるパターンを含み、動作態様の異なる複数の動作パターンを有するものであり、
Ｆ　前記動作パターンの演出位置での前記装飾部材の背面側には表示部が配置され、
Ｇ　前記装飾部材の動作パターンに加え、前記表示部の画像による演出として、前記装飾部材にオーバーラップさせて前記装飾部材の動作を誇張する補助的な表示画像を表示すると共に、
Ｈ’前記装飾部材の動作パターンに電飾制御動作パターンを組み合わせることを特徴とする
遊技機。」
　
　２　拒絶の理由（平成２９年２月１３日付け）
　原査定の拒絶の理由は、
１．（新規性）この出願の請求項１に係る発明は、本願の出願前に日本国内において、頒布された下記の引用文献１に記載された発明であるから、特許法第２９条第１項第３号に該当し、特許を受けることができない、
２．（進歩性）この出願の請求項１に係る発明は、本願の出願前に日本国内において、頒布された下記の引用文献１に記載された発明に基づいて、その出願前にその発明の属する技術の分野における通常の知識を有する者が容易に発明をすることができたものであるから、特許法２９条２項の規定により特許を受けることができない、というものである。
　
　引用文献１：特開２００４−１６００５３号公報
　
　３　刊行物に記載された事項
　原査定の拒絶理由において提示された、引用文献１である特開２００４−１６００５３号公報（以下「刊行物１」という。）には、図面と共に次の事項が記載されている。
　
　・記載事項
　　ア　「【０００１】
【発明の属する技術分野】
この発明は、前面枠又は前面板に備える透明板扉枠等の２重透明板の透明板間で可動部材を可動して遊戯の興趣を高めるようにした
パチンコ機
　
　　イ　「【００１３】
【発明の実施の形態】
この発明のパチンコ機の実施形態を図面に基づいて説明する。図１ないし図７はこの発明のクモの可動部材を備えたパチンコ機であって、図１は同パチンコ機の斜視図、図２はクモ可動部材が隠れた状態のガラス扉枠の正面図、図３はクモ可動部材が中央に出現した状態のガラス扉枠の正面図、図４はクモ可動部材が下方に降下した状態のガラス扉枠の正面図、図５はクモ可動部材を揺動した状態のガラス扉枠の正面図、図６はクモ可動部材の駆動装置を備えたガラス扉枠を示す斜視図、図７は同断面図である。
【００１４】
図において、１は縦長の長方形状に枠組みされた機枠であり、該
機枠１の
前面枠３
【００１５】
１０は前記
前面枠３の裏側に配置され
遊戯盤
遊戯盤１０
に
遊戯領域１２には、その中央部に
図柄表示装置１３
始動入賞口１４及び大入賞口の変動入賞装置１５が設けられている。
【００１６】
この発明は、上記したパチンコ機において、前記２枚のガラス板６、６間の空間Ａに１又は複数個の可動部材２０を可動自由に介在させ、該可動部材２０を可動する駆動手段２３を備える。ガラス扉枠４はガラス板６、６間の間隔を広くとり、可動部材２０を空間Ａで自由に可動できるようにするのが好ましい。実施形態では、駆動手段等をガラス扉枠に備えた場合を示すが、これに限られるものでなく、例えばガラス枠の隠れた位置に取り付けることもできる。
可動部材２０は、合成樹脂製、織物製、金属製等適宜の材質で、吊り下げ物体、或いは前記遊戯盤の遊戯面の視認を妨げない回転可能部材等とする。吊り下げ物体は遊戯面の一部分を覆う大きさで、ガラス板６、６間の狭い空間で動作できるように薄型で軽量とし、種々の形状の装飾的なもの或いはキャラクター的なものなどとする。少なくとも遊戯盤１０、図柄表示装置１３、入賞装置１５のうちの１つの図柄・模様等と関連を持たせた物体とするのが好ましい。遊戯盤の図柄表示装置に出現する画像、役物、各種部品或いは遊戯領域等に合わせた形状の物体とするのが好ましい。実施形態では、
吊り下げ物体をクモ可動部材２１とし
【００１７】
前記吊り下げ物体２１を可動する駆動手段２３として、モータがガラス扉枠４の上部に備えられ、該モータ２３の駆動で吊り下げ物体２１が可動され、吊り下げ物体２１が２枚のガラス板６、６間の空間Ａで動くようにする。吊り下げ物体の
駆動手段２３は、
駆動手段２５
これらの駆動手段
はガラス扉枠
に取り付けられる。
【００１８】
前記可動部材の駆動手段２３を、
遊戯盤の図柄表示装置１３と入賞装置１５の
両方を制御装置１８と接続し、図柄表示装置と入賞装置の
両方の特定状態の動作と可動部材の動作を関連させ
この発明で図柄表示装置１３の特定の状態とは、例えば、
始動入賞口１４
打球が入賞すると
特定の図柄の組み合わせが揃ったときである。
特定状態としては、表示装置が特定状態の図柄が揃って入賞装置の大入賞口が開放状態となった大当たりのときとする
　
　　ウ　「【００２０】
図１３ないし図１５はクモ可動物の駆動手段と図柄表示装置と入賞装置を関連させたブロック図である。
図１３に示すように、駆動手段２３を昇降手段２４でクモ可動部材２１を昇降し、駆動手段２３を遊戯盤１０の図柄表示装置１３、入賞装置１４等の制御装置１８と接続し、図柄表示装置１３の特定状態でクモ可動部材２１の動作を関連させた場合について説明する。
クモ可動部材２１の場合には、
制御装置１８で、
図柄表示装置１３の図柄が揃った特定の入賞状態にクモの巣が出現するとともに
クモの糸２１ａが繰り出されてクモ可動部材２１が降下して遊戯盤１０の遊戯領域に突然表れるようにし
すなわち、通常時は図２に示すようにクモ可動部材２１を見えない位置に隠すために、モーター２３でクモの糸２１ａを巻き上げてクモ可動部材２１を遊戯盤の遊戯領域外の上方に引き上げてガラス枠の裏面に隠す。
図３に示すように、図柄表示装置１３が特定状態の入賞時或いはリーチ等各種予告に中央の液晶画面の演出とリンクさせ、モータ２３を駆動して吊り下げた可動部材を素早い速さで遊戯盤の遊戯領域の画面中央に降下させ驚かせる。例えば、画面にクモの巣が出現するときに、クモの糸を繰り出して、クモ可動部材を素早い速さで画面の前面に降下させて遊戯者を驚かせる。クモ可動部材は遊戯盤の遊戯領域の任意の位置で昇降させて躍動させる。図４はモータ２３でクモの糸をさらに繰り出して下方の大入賞口１４の開放に合わせてその大入賞口の前面まで降下させ大入賞口の前面で動作させ、遊戯者の目を引かせる。
・・・
【００２２】
図１５に示す別の実施形態では、
駆動手段２３
と、駆動手段２５で
クモ可動部材を昇降と揺動可能にし
クモ可動部材２１を遊戯盤１０の遊戯領域の前面で上下に昇降動作させ
クモ可動部材を左右に揺動動作させ、
　
　　エ　「【００３２】
この発明のパチンコ機は、
駆動手段で昇降手段により吊り下げる可動部材を
昇降でき、また、
可動部材を
揺動でき、遊戯領域で上下、或いは左右、或いは上下左右に変化させて
　
　・認定事項
　　オ　【００３２】の「・・・
駆動手段で昇降手段により吊り下げる可動部材を２枚の透明板間で昇降でき、
　
　上記ア〜エの記載事項、上記オの認定事項、及び、図面の図示内容を総合勘案すると、刊行物１には、次の発明（以下「刊行物１発明」という。）が記載されていると認められる（ａ１〜ｇ１は、本願発明のＡ〜Ｇに対応させて付与した。）。
「ａ１　機枠１の前面枠３の裏側に配置され遊戯盤１０を備えたパチンコ機（【０００１】、【００１４】〜【００１５】）において、
　
ｂ１　ガラス扉枠に取り付けられた駆動手段２３、２５により、遊戯盤１０の遊戯領域の前面で昇降と揺動可能にされるクモ可動部材２１（【００１７】、【００２２】）と、
　
ｃ１　遊戯盤１０に設けられている図柄表示装置１３と大入賞口の変動入賞装置１５の両方を制御装置１８と接続し、遊戯盤１０に設けられている始動入賞口１４に打球が入賞し、表示装置に大当たりとなる特定状態の図柄が揃うと、変動入賞装置１５の大入賞口を開放状態とし（【００１５】、【００１８】）、
　
ｄ１　図柄表示装置１３と大入賞口の変動入賞装置１５の両方の特定状態の動作と可動部材２０の動作を関連させ、駆動手段により可動部材を遊戯領域で上下、或いは左右、或いは上下左右に変化させることが可能であり（【００１８】、【００３２】）、
　
ｅ１　上記可動部材を「上下」、「上下左右」に変化させる際には、可動部材２０を水平状態にしたまま、上下に昇降動作を行い（【００３２】、認定事項　）、
　
ｆ１、ｇ１　制御装置１８は、遊戯領域１２の中央部に設けられている、図柄表示装置１３の図柄が揃った特定の入賞状態にクモの巣が出現するとともにクモの糸２１ａが繰り出されてクモ可動部材２１が降下して遊戯盤１０の遊戯領域に突然表れるようにした（【００２０】）
　パチンコ機。」
　
　４　対比
　本願発明と刊行物１発明とを対比する（対比にあたっては、本願発明の構成Ａ〜Ｇと刊行物１発明の構成ａ１〜ｇ１について、それぞれ（ａ１）〜（ｇ１）の見出しを付して行った。）。
　
　（ａ１）刊行物１発明における「機枠１」、「遊戯盤１０」、「パチンコ機」は、それぞれ、本願発明における「遊技機本体」、「遊技盤」、「遊技機」に相当する。
　したがって、刊行物１発明における構成ａ１の「機枠１の前面枠３の裏側に配置され遊戯盤１０を備えたパチンコ機」と、本願発明における構成Ａの「遊技機本体に着脱可能に取り付けられた遊技盤を備えた遊技機」とは、「遊技機本体に取り付けられた遊技盤を備えた遊技機」である点で共通する。
　
　（ｂ１）刊行物１発明における「駆動手段２３、２５」、「昇降と揺動可能にされる」こと、「クモ可動部材２１」は、それぞれ、本願発明における「複数の駆動手段」、「動作する」こと、「装飾部材」に相当する。
　したがって、刊行物１発明における構成ｂ１の「ガラス扉枠に取り付けられた駆動手段２３、２５により昇降と揺動可能にされるクモ可動部材２１」と、本願発明における構成Ｂの「遊技盤に取り付けられ、複数の駆動手段によって動作する装飾部材」とは、「複数の駆動手段によって動作する装飾部材」である点で共通する。
　
　（ｃ１）刊行物１発明における「遊戯盤１０に設けられている始動入賞口１４」、「打球が入賞」することは、それぞれ、本願発明における「遊技盤面に設けられた始動入賞口」、「遊技球が入賞する」ことに相当する。
　
　そして、刊行物１発明において、「表示装置に大当たりとなる特定状態の図柄が揃う」のは、大当たり抽選により大当たりが当選した結果、生じる現象であることは、当業者における技術常識である。
　したがって、刊行物１発明における「表示装置に大当たりとなる特定状態の図柄が揃う」ことは、本願発明における「抽選を実行すると共に、抽選が当選のとき」に相当する。
　
　また、刊行物１発明における「変動入賞装置１５の大入賞口を開放状態と」することは、大入賞口を開放状態とする大当たり遊技を進めることであるから、本願発明における「遊技盤面上に設けられた大入賞口を、所定期間開放することにより遊技球の入賞を可能とする特別遊技の進行を制御する」ことに相当する。
　さらに、刊行物１発明は、「遊戯盤１０に設けられている」「大入賞口の変動入賞装置１５」「を制御装置１８と接続」するものであるから、刊行物１発明において、「変動入賞装置１５の大入賞口を開放状態と」する制御は、「制御装置１８」により行われるものである。
　そうすると、刊行物１発明における「変動入賞装置１５の大入賞口を開放状態と」することは、本願発明における「遊技盤面上に設けられた大入賞口を、所定期間開放することにより遊技球の入賞を可能とする特別遊技の進行を制御する遊技進行制御手段」を備えることに相当する。
　
　ゆえに、刊行物１発明における構成ｃ１は、本願発明における構成Ｃに相当する。
　
　（ｄ１）刊行物１発明における「可動部材を遊戯領域で上下、或いは左右、或いは上下左右に変化させる」ことは、本願発明における「装飾部材を所定の動作パターンで動作する」ことに相当する。
　そして、刊行物１発明において、「可動部材の動作」は、「図柄表示装置１３と大入賞口の変動入賞装置１５の両方の特定状態の動作」と「関連させ」られており、上記（ｃ１）より、「制御装置１８」によって制御されるものである。
　また、上記（ｃ１）より、刊行物１発明における「表示装置に大当たりとなる特定状態の図柄が揃う」ことは、本願発明における「抽選を実行すると共に、抽選が当選のとき」に相当することから、「特定状態の動作」と「関連」する「可動部材の動作」も、同様に、本願発明における「抽選を実行すると共に、抽選が当選のとき」に実行されるものであるといえる。
　したがって、刊行物１発明における「図柄表示装置１３と大入賞口の変動入賞装置１５の両方の特定状態の動作と可動部材の動作を関連させ、駆動手段により可動部材を遊戯領域で上下、或いは左右、或いは上下左右に変化させることが可能であ」ることは、本願発明における「抽選の結果に基づき、装飾部材を所定の動作パターンで動作するように駆動手段の駆動を制御する」ことに相当する。
　
　（ｅ１）上記（ｄ１）より、刊行物１発明における「可動部材を遊戯領域で上下、或いは左右、或いは上下左右に変化させる」ことは、本願発明における「装飾部材を所定の動作パターンで動作する」ことに相当する。
　また、刊行物１発明において、構成ｄ１より、「可動部材を遊戯領域で上下」「に変化させる」こと、「可動部材を遊戯領域で」「左右」「に変化させる」こと、「可動部材を遊戯領域で」「上下左右に変化させる」ことは、互いに異なる動作パターンに基づいて可動部材を動作させることであるといえる。
　そうすると、刊行物１発明における「可動部材を遊戯領域で上下」「に変化させる」こと、「可動部材を遊戯領域で」「左右」「に変化させる」こと、「可動部材を遊戯領域で」「上下左右に変化させる」ことは、本願発明における「動作態様の異なる複数の動作パターンを有する」ことに相当する。
　
　そして、刊行物１発明における「可動部材２０を水平状態にしたまま、上下に昇降動作を行」う「可動部材を遊戯領域で上下」「に変化させる」パターン、「可動部材を遊戯領域で」「上下左右に変化させる」パターンとは、本願発明における「装飾部材を水平状態で昇降させるパターン」に相当する。
　
　したがって、刊行物１発明における「上記可動部材を「上下」、「上下左右」に変化させる際には、可動部材２０を水平状態にしたまま、上下に昇降動作を行」うことは、本願発明における構成Ｅ’’の「動作パターンは、装飾部材を水平状態で昇降させるパターンを含み、動作態様の異なる複数の動作パターンを有する」ことに相当する。
　
　（ｆ１）刊行物１発明における「クモの糸２１ａが繰り出されて」「降下して遊戯盤１０の遊戯領域に突然表れる」「クモ可動部材２１」は、本願発明における「動作パターンの演出位置での装飾部材」に相当する。
　そして、刊行物１発明の「クモ可動部材２１」は、構成ｂ１より、「遊戯盤１０の遊戯領域の前面で昇降と揺動可能にされる」ものであることから、「クモの糸２１ａが繰り出されてクモ可動部材２１が降下して遊戯盤１０の遊戯領域に突然表れる」状態では、「クモ可動部材２１」は、「図柄表示装置１３」の「前面」に位置するものといえる。
　したがって、刊行物１発明における構成ｆ１、ｇ１の「クモの糸２１ａが繰り出されて」「降下して遊戯盤１０の遊戯領域に突然表れる」「クモ可動部材２１」は、本願発明における構成Ｆの「動作パターンの演出位置での装飾部材の背面側には表示部が配置され」ることに相当する。
　
　（ｇ１）刊行物１発明における構成ｆ１、ｇ１の「図柄表示装置１３」「にクモの巣が出現する」ことは、「クモの巣」が、降下した「クモ可動部材２１」と重なることにより、「クモ可動部材２１」の降下動作を強調するものであり、「クモ可動部材２１」の降下動作する演出に加えて、図柄表示装置１３にクモの巣の画像を表示する演出である。
　したがって、刊行物１発明における構成ｆ１、ｇ１の「図柄表示装置１３の図柄が揃った特定の入賞状態にクモの巣が出現するとともにクモの糸２１ａが繰り出されてクモ可動部材２１が降下して遊戯盤１０の遊戯領域に突然表れる」ことは、本願発明における構成Ｇの「装飾部材の動作パターンに加え、表示部の画像による演出として、装飾部材にオーバーラップさせて装飾部材の動作を誇張する補助的な表示画像を表示する」ことに相当する。
　
　よって、両者の一致点および相違点は、次のとおりである。
［一致点］
「Ａ’遊技機本体に取り付けられた遊技盤を備えた遊技機であって、
Ｂ’複数の駆動手段によって動作する装飾部材と、
Ｃ　遊技盤面に設けられた始動入賞口に遊技球が入賞することで抽選を実行すると共に、前記抽選が当選のとき、前記遊技盤面上に設けられた大入賞口を、所定期間開放することにより遊技球の入賞を可能とする特別遊技の進行を制御する遊技進行制御手段と、
Ｄ　前記抽選の結果に基づき、前記装飾部材を所定の動作パターンで動作するように前記駆動手段の駆動を制御する駆動制御手段とを有し、
Ｅ’’前記動作パターンは、前記装飾部材を水平状態で昇降させるパターンを含み、動作態様の異なる複数の動作パターンを有するものであり、
Ｆ　前記動作パターンの演出位置での前記装飾部材の背面側には表示部が配置され、
Ｇ　前記装飾部材の動作パターンに加え、前記表示部の画像による演出として、前記装飾部材にオーバーラップさせて前記装飾部材の動作を誇張する補助的な表示画像を表示する
遊技機。」
　
［相違点１］（構成Ａ、Ｂ）
　本願発明では、遊技盤が、遊技機本体に着脱可能に取り付けられ、装飾部材が、遊技盤に取り付けられるのに対して、刊行物１発明では、遊技盤が、遊技機本体に取り付けられるが、遊技機本体に着脱可能に取り付けられたものであるか否か明らかでなく、装飾部材が、ガラス扉枠に取り付けられたものであり、遊技盤に取り付けられたものでない点。
　
［相違点２］（構成Ｈ’）
　本願発明では、装飾部材の動作パターンに電飾制御動作パターンを組み合わせるのに対して、刊行物発明はそのような構成を備えない点。
　
　５　当審の判断
　（１）相違点１、２（構成Ａ、Ｂ、Ｈ）について
　上記相違点１、２は、装飾部材に関する点で関連するのでまとめて検討する。
　遊技機の技術分野において、遊技盤を遊技機本体に着脱可能に取り付け、さらに、遊技盤に装飾部材を取り付け、遊技の進行に応じて装飾部材を動作させると共に、装飾部材の動作のパターンに電飾制御動作のパターンを組み合わせることは、本願の遡及日前に周知の技術事項である（例えば、特開２００８−２４６０１４号公報の【０００１】、【００１６】、【００１８】、【００２１】、【００４１】〜【００４２】、【図１】には、収納枠に遊技盤１０を着脱可能にセットし、さらに、遊技盤１０にセンター飾り１５を介して電飾看板１００を備え、遊技の進行に応じて電飾看板１００を遊技者に露出するように落下移動、もしくは、上昇移動可能とし、電飾看板１００の看板蓋部材１３０に形成された文字をＬＥＤを発光させることにより強調して遊技者に視認可能とした遊技機について記載され、特開２０１１−１０４２４９号公報の【０００１】、【００１５】〜【００１６】、【００２０】、【００２７】、【００２９】〜【００３０】、【図２】、【図３】には、前面枠２に収納保持された遊技盤３に可動役物装置１３を備え、電子抽選の結果に応じて可動役物装置１３の役物本体３０を揺らし動作や上下動作可能とし、例えば、役物本体３０が落下している途中や最下位置で停止したとき、ＬＥＤを点灯あるいは点滅させることにより、落下動作する役物本体３０の前面からＬＥＤの光が放射されるというライティング演出を行う弾球遊技機について記載されている。また、前記刊行物の【００１２】〜【００１３】、【００１５】〜【００１６】、【００２４】、【００６４】、【００６７】の記載により特定される刊行物発明の構成ａ〜ｂ、ｇ〜ｈを参照。以下「周知の技術事項３」という。）。
　そして、刊行物１発明と上記周知の技術事項３とは、遊技の進行に応じて装飾部材を動作させる遊技機である点で共通する。
　また、遊技機の技術分野において、動作可能な装飾部材を備えることで、遊技者に遊技の興趣を向上させる効果を奏することは、当業者にとって自明である。
　したがって、刊行物１発明に上記周知の技術事項３を適用して、遊技盤を遊技機本体に着脱可能に取り付けると共に、装飾部材を遊技盤に取り付け、さらに、装飾部材の動作パターンに電飾制御動作パターンを組み合わせて、上記相違点１、２に係る本願発明の構成Ａ、Ｂ、Ｈ’とすることは当業者が容易になし得たものである。
　
　（２）小括
　本願発明により奏される効果は、刊行物１発明、及び、上記周知の技術事項３から当業者が予測できる効果の範囲内のものであり、新たな効果を奏するものとはいえない。
　そうすると、上記（１）において検討したとおり、本願発明は、刊行物１発明、及び、上記周知の技術事項３に基づいて当業者が容易に発明をすることができたものである。
　
　６　むすび 
　以上のとおりであるから、本願発明は、特許法第２９条第２項の規定により特許を受けることができない。
　
　よって、結論のとおり審決する。